(57)【要約】【課題】放送コンテンツについての視聴制限の解除の際の使い勝手が良くなる放送受信装置およびプログラムを提供する。【解決手段】視聴制限手段により放送コンテンツの視聴が制限されていない場合にはデコードされた放送コンテンツを表示装置に表示するとともに、受信した放送コンテンツに含まれる視聴制限レベル情報が予め設定されている条件に一致したことにより放送コンテンツの視聴が制限された場合には表示装置に表示されている所定の範囲２３を第１の状態である通常状態とは異なる第２の状態（例えば、点滅）で表示させることによりその旨を報知するとともに、視聴制限手段は、操作受付手段が第１の状態である通常状態とは異なる第２の状態に変化した所定の範囲２３に対するユーザによる入力装置を介した操作を受け付けた場合に、放送コンテンツについての視聴制限を解除する。【選択図】        図５
2010081392.tif 000002
【特許請求の範囲】
【請求項１】
入力装置からのユーザ操作を受け付ける操作受付手段と、
視聴制限を指定する視聴制限レベル情報を含む放送コンテンツを受信する放送受信手段と、
受信した前記放送コンテンツに含まれる前記視聴制限レベル情報が予め設定されている条件に一致した場合に、当該放送コンテンツの視聴を制限する視聴制限手段と、
前記視聴制限手段による視聴制限を受けない前記放送コンテンツをデコードするデコード手段と、
前記視聴制限手段により前記放送コンテンツの視聴が制限されていない場合にはデコードされた前記放送コンテンツの映像を表示装置に表示するとともに前記表示装置に表示される所定の範囲を第１の状態で表示し、前記視聴制限手段により前記放送コンテンツの視聴が制限された場合には前記所定の範囲を前記第１の状態とは異なる第２の状態で表示させる表示制御手段と、
を備え、
前記視聴制限手段は、前記操作受付手段が前記所定の範囲に対するユーザ操作を受け付けた場合に、前記放送コンテンツについての視聴制限を解除する、
ことを特徴とする放送受信装置。
【請求項２】
前記表示制御手段が、前記視聴制限手段により前記放送コンテンツの視聴が制限された場合に、表示態様に変化させる前記所定の範囲は、前記放送コンテンツについての視聴制限を解除する旨が表示された機能解除ボタンである、
ことを特徴とする請求項１記載の放送受信装置。
【請求項３】
前記視聴制限手段は、前記操作受付手段が前記第１の状態の前記機能解除ボタンに対するユーザ操作を受け付けた場合、視聴制限を無効にする、
ことを特徴とする請求項２記載の放送受信装置。
【請求項４】
前記表示制御手段は、前記所定の範囲に対するユーザ操作が行われた場合に、パスワード入力用のウィンドウを表示する、
ことを特徴とする請求項１記載の放送受信装置。
【請求項５】
前記表示制御手段が、前記視聴制限手段により前記放送コンテンツの視聴が制限された場合に、表示態様を変化させる前記所定の範囲は、デコードされた前記放送コンテンツを再生表示する範囲である、
ことを特徴とする請求項１記載の放送受信装置。
【請求項６】
前記操作受付手段が、前記所定の範囲に対するユーザ操作を受け付ける前記入力装置は、ポインティングデバイスである、
ことを特徴とする請求項１ないし５のいずれか一記載の放送受信装置。
【請求項７】
コンピュータを、
入力装置からのユーザ操作を受け付ける操作受付手段と、
放送コンテンツに含まれる視聴制限を指定する視聴制限レベル情報が予め設定されている条件に一致した場合に、当該放送コンテンツの視聴を制限する視聴制限手段と、
前記視聴制限手段による視聴制限を受けない前記放送コンテンツをデコードするデコード手段と、
前記視聴制限手段により前記放送コンテンツの視聴が制限されていない場合にはデコードされた前記放送コンテンツの映像を表示装置に表示するとともに前記表示装置に表示される所定の範囲を第１の状態で表示し、前記視聴制限手段により前記放送コンテンツの視聴が制限された場合には前記所定の範囲を前記第１の状態とは異なる第２の状態で表示させる表示制御手段と、
として機能させるためのプログラムであって、
前記視聴制限手段は、前記操作受付手段が前記所定の範囲に対するユーザ操作を受け付けた場合に、前記放送コンテンツについての視聴制限を解除する、
ことを特徴とするプログラム。
【発明の詳細な説明】
【技術分野】
【０００１】
本発明は、放送受信装置およびプログラムに関する。
【背景技術】
【０００２】
近年、一部の放送チャンネルでは、成人向けの番組が成人向専門チャンネルとして放送されており、パスワードを入力しない限りは視聴できないように制限が掛けられている。
【０００３】
また、テレビジョン放送などにおいても、一部の放送番組の内容が極めて暴力的もしくは猥褻的な内容を含んでいる場合があり、子供の教育上好ましくないとして、これら放送番組の視聴を制限することが望まれている。
【０００４】
このように視聴を制限する傾向は特に米国において顕著であり、１９９６年通信改革法（もしくは電気通信法とも呼ばれている）（the  Telecommunications  Act  of  1996）が制定されている。これによれば、放送局側にはテレビジョン信号中に番組内容の過激度を表すレイティング情報を重畳して送信することが義務付けられ、またこれらテレビジョン放送を受像する受像機には、このレイティング情報を利用した視聴の制限を実施できるように、視聴制限機能を内蔵することが義務付けられている。
【０００５】
上述したような暴力的もしくは猥褻的なシーンの視聴を制限する機能は、パレンタルロック（ペアレンタルロック）と呼ばれており、例えば特許文献１に開示されている。特許文献１に開示されている技術によれば、パレンタルロックを行う場合、パレンタルロックの状態を示す表示灯を点滅させると共に、画像が映らずかつ音声も出力されない状態にする。これにより、パレンタルロックされた放送は、パレンタルロックが解除されない限り、視聴することができなくなる。
【０００６】
【特許文献１】特公平０４−０２０５５４号公報
【発明の開示】
【発明が解決しようとする課題】
【０００７】
ところで、特許文献１に開示されている技術によれば、パレンタルロック状態からパレンタルロックを解除する場合には、衛星指定スイッチの操作後、暗証番号を入力することにより、パレンタルロックを解除している。
【０００８】
しかしながら、特許文献１に開示されている技術によれば、パレンタルロック状態からパレンタルロックを解除する際に、どのスイッチを操作すれば良いのかが分かりづらいという問題がある。
【０００９】
本発明は、上記に鑑みてなされたものであって、放送コンテンツについての視聴制限の解除の際の使い勝手が良くなる放送受信装置およびプログラムを提供する。
【課題を解決するための手段】
【００１０】
上述した課題を解決し、目的を達成するために、本発明の放送受信装置は、入力装置からのユーザ操作を受け付ける操作受付手段と、視聴制限を指定する視聴制限レベル情報を含む放送コンテンツを受信する放送受信手段と、受信した前記放送コンテンツに含まれる前記視聴制限レベル情報が予め設定されている条件に一致した場合に、当該放送コンテンツの視聴を制限する視聴制限手段と、前記視聴制限手段による視聴制限を受けない前記放送コンテンツをデコードするデコード手段と、前記視聴制限手段により前記放送コンテンツの視聴が制限されていない場合にはデコードされた前記放送コンテンツの映像を表示装置に表示するとともに前記表示装置に表示される所定の範囲を第１の状態で表示し、前記視聴制限手段により前記放送コンテンツの視聴が制限された場合には前記所定の範囲を前記第１の状態とは異なる第２の状態で表示させる表示制御手段と、を備え、前記視聴制限手段は、前記操作受付手段が前記所定の範囲に対するユーザ操作を受け付けた場合に、前記放送コンテンツについての視聴制限を解除する。
【００１１】
また、本発明のプログラムは、コンピュータを、入力装置からのユーザ操作を受け付ける操作受付手段と、放送コンテンツに含まれる視聴制限を指定する視聴制限レベル情報が予め設定されている条件に一致した場合に、当該放送コンテンツの視聴を制限する視聴制限手段と、前記視聴制限手段による視聴制限を受けない前記放送コンテンツをデコードするデコード手段と、前記視聴制限手段により前記放送コンテンツの視聴が制限されていない場合にはデコードされた前記放送コンテンツの映像を表示装置に表示するとともに前記表示装置に表示される所定の範囲を第１の状態で表示し、前記視聴制限手段により前記放送コンテンツの視聴が制限された場合には前記所定の範囲を前記第１の状態とは異なる第２の状態で表示させる表示制御手段と、として機能させるためのプログラムであって、前記視聴制限手段は、前記操作受付手段が前記所定の範囲に対するユーザ操作を受け付けた場合に、前記放送コンテンツについての視聴制限を解除する。
【発明の効果】
【００１２】
本発明によれば、放送コンテンツについての視聴制限の解除の際の使い勝手が良くなる、という効果を奏する。
【発明を実施するための最良の形態】
【００１３】
以下に添付図面を参照して、この発明にかかる放送受信装置およびプログラムの最良な実施の形態を詳細に説明する。
【００１４】
本発明の実施の一形態を図１ないし図６に基づいて説明する。本実施の形態は放送受信装置としてノート型のポータブルコンピュータを適用した例である。
【００１５】
図１は、本発明の実施の一形態にかかる放送受信装置１のハードウェア構成を示すブロック図である。図１に示すように、放送受信装置１は、情報処理を行うＣＰＵ（Central  Processing  Unit）１０１、ＢＩＯＳなどを記憶した読出し専用メモリであるＲＯＭ（Read  Only  Memory）１０２、各種データを書換え可能に記憶するＲＡＭ（Random  Access  Memory）１０３、各種データベースとして機能するとともに各種のプログラムを格納するＨＤＤ（Hard  Disk  Drive）１０４、記憶媒体１１０を用いて情報を保管したり外部に情報を配布したり外部から情報を入手するためのＤＶＤドライブ等の媒体駆動装置１０５、ネットワーク５０を介して外部の他のコンピュータと通信により情報を伝達するための通信制御装置１０６、処理経過や結果等をユーザに表示するＬＣＤ（Liquid  Crystal  Display）等の表示装置１０７、並びにユーザがＣＰＵ１０１に命令や情報等を入力するためのキーボードやポインティングデバイス等の入力装置１０８、選択した放送局から放送された映像のコンテンツ（ＴＶ番組）をアンテナやケーブル（不図示）を介して受信する放送受信手段である放送受信部１１１、ＩＰＴＶサーバ２００を接続するインターフェースであって放送受信手段であるＩＰＴＶ（Internet  Protocol  Television）接続部１１２、音声出力部１１３等から構成されており、これらの各部間で送受信されるデータをバスコントローラ１０９が調停して動作する。
【００１６】
ＩＰＴＶサーバ２００は、ＩＰを利用してテレビ番組や映画などの映像を配信するサービスを提供するサーバであり、放送受信装置１からの要求により、当該映像等のコンテンツ等を配信する。
【００１７】
このような放送受信装置１では、ユーザが電源を投入するとＣＰＵ１０１がＲＯＭ１０２内のローダーというプログラムを起動させ、ＨＤＤ１０４よりＯＳ（Operating  System）というコンピュータのハードウェアとソフトウェアとを管理するプログラムをＲＡＭ１０３に読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００１８】
ここで、放送受信装置１は、アプリケーションプログラムとして、映像処理プログラムをＨＤＤ１０４に記憶している。この意味で、ＨＤＤ１０４は、映像処理プログラムを記憶する記憶媒体として機能する。
【００１９】
また、一般的には、放送受信装置１のＨＤＤ１０４にインストールされるアプリケーションプログラムは、ＤＶＤなどの各種の光ディスク、各種光磁気ディスク、フレキシブルディスクなどの各種磁気ディスク、半導体メモリ等の各種方式のメディア等の記憶媒体１１０に記録され、この記憶媒体１１０に記録された動作プログラムがＨＤＤ１０４にインストールされる。このため、ＤＶＤ等の光情報記録メディアやＦＤ等の磁気メディア等の可搬性を有する記憶媒体１１０も、アプリケーションプログラムを記憶する記憶媒体となり得る。さらには、アプリケーションプログラムは、例えば通信制御装置１０６を介して外部のネットワーク５０から取り込まれ、ＨＤＤ１０４にインストールされても良い。
【００２０】
放送受信装置１は、ＯＳ上で動作する放送受信プログラムが起動すると、この放送受信プログラムに従い、ＣＰＵ１０１が各種の演算処理を実行して各部を集中的に制御する。放送受信装置１のＣＰＵ１０１が実行する各種の演算処理のうち、本実施の形態の特長的な処理について以下に説明する。
【００２１】
図２は、放送受信装置１の機能構成を示すブロック図である。図２に示すように、放送受信装置１は、放送受信プログラムに従うことにより、操作受付手段として機能する操作受付部２と、視聴制限手段として機能する視聴制限部３と、デコード手段として機能するデコード部４と、表示制御手段として機能する表示制御部５との各機能部を実現する。
【００２２】
デコード部４は、ユーザが再生を所望する映像のコンテンツ、すなわち放送受信部１１１により受信したＴＶ番組などのコンテンツおよびＩＰＴＶ接続部１１２を介してＩＰＴＶサーバ２００から取得した映像のコンテンツを取得して、取得したコンテンツをデコード（再生）して表示制御部５に送出するものである。
【００２３】
表示制御部５は、図３に示すように、デコード部４により送出されたコンテンツを再生表示するコンテンツ表示部１０や、チャンネル切り替えなどの各種操作を、入力装置１０８を介して受け付ける操作パネル２０を表示装置１０７に表示するとともに、音声出力部１１３からデコード部４により送出されたコンテンツの音声を出力するものである。操作パネル２０は、チャンネル選択のためのチャンネル選択ボタン２１、チャンネルを降順または昇順に順に切り替えるチャンネルＵＰ／ＤＯＷＮボタン２２を備えている。なお、チャンネルＵＰ／ＤＯＷＮボタン２２からの要求は、次／前のチャンネルがどのチャンネルなのかを予め記憶しておくことが必要である。
【００２４】
視聴制限部３は、ＩＰＴＶサーバ２００や放送局側から送信される信号中に暴力的もしくは猥褻的なシーンの視聴を制限するパレンタルレベル（視聴制限レベル）情報を重畳されている場合、暴力的もしくは猥褻的なシーンの視聴を制限するパレンタルロック（ペアレンタルロック）機能を実行する。より詳細には、視聴制限部３は、信号中に暴力的もしくは猥褻的なシーンの視聴を制限するパレンタルレベル情報が重畳されている場合、パレンタルレベル情報が放送受信装置１に予め設定されている出力禁止条件に一致した場合に、デコード部４に対するコンテンツの送出を停止することにより、コンテンツ表示部１０に画像を映らせず、かつ音声出力部１１３から音声も出力されない状態にする。
【００２５】
また、操作パネル２０には、視聴制限部３によってパレンタルロック機能が実行されていることを示すとともに、パレンタルロック機能を解除するためのパレンタルロック機能解除ボタン２３が備えられている。このパレンタルロック機能解除ボタン２３は、点滅することが可能である。
【００２６】
操作受付部２は、操作パネル２０に備えられた各種ボタンがポインティングデバイス等の入力装置１０８を介してユーザによりクリックされたことを認識し、操作を受け付けるものである。例えば、ユーザによってチャンネル選択ボタン２１やチャンネルＵＰ／ＤＯＷＮボタン２２が操作されると、操作受付部２から選局の指示が放送受信部１１１またはＩＰＴＶ接続部１１２に送られることによって選局動作が行われる。ここで選局とは放送局を選択し、所定の放送局からの放送を受信することである。また、ユーザによってパレンタルロック機能解除ボタン２３が操作されると、操作受付部２からパレンタルロック機能解除の指示が視聴制限部３に送られることによってパレンタルロック機能の解除動作が行われる。
【００２７】
次に、以上のように構成された放送受信装置１による放送受信処理の流れについて説明する。図４は、放送受信装置１による放送受信処理の流れを示すフローチャートである。
【００２８】
まず、操作受付部２は、操作パネル２０に備えられたチャンネル選択ボタン２１やチャンネルＵＰ／ＤＯＷＮボタン２２がポインティングデバイス等の入力装置１０８を介してクリックされたことを認識して選局指示が有ったと判断すると（ステップＳ１のＹｅｓ）、選局の指示を放送受信部１１１またはＩＰＴＶ接続部１１２に送って選局動作を実行する（ステップＳ２）。
【００２９】
その後、放送受信部１１１またはＩＰＴＶ接続部１１２で所定の放送局からの放送を受信すると（ステップＳ３のＹｅｓ）、視聴制限部３は、ＩＰＴＶサーバ２００や放送局側から送信される信号中に暴力的もしくは猥褻的なシーンの視聴を制限するパレンタルレベル情報を重畳されているか否かを判断する（ステップＳ４）。
【００３０】
パレンタルレベル情報が重畳されていると判断した場合（ステップＳ４のＹｅｓ）、パレンタルレベル情報が放送受信装置１に予め設定されている出力禁止条件に一致しているか否かを判断する（ステップＳ５）。
【００３１】
視聴制限部３は、パレンタルレベル情報が放送受信装置１に予め設定されている出力禁止条件（例えば、１５歳以下は視聴不可など）に一致した場合（ステップＳ５のＹｅｓ）、デコード部４に対するコンテンツの送出を停止することにより（ステップＳ６）、コンテンツ表示部１０に画像を映らせず、かつ音声出力部１１３から音声も出力されない状態にするとともに、表示装置１０７に表示された操作パネル２０に備えられたパレンタルロック機能解除ボタン２３を点滅させる（ステップＳ７）。
【００３２】
ここで、図５はパレンタル機能実行時の表示画像を示す正面図である。図５に示すように、パレンタルレベル情報が放送受信装置１に予め設定されている出力禁止条件に一致した場合には、表示装置１０７に表示されたコンテンツ表示部１０に画像は表示されず、かつ音声出力部１１３から音声も出力されない状態となる。加えて、パレンタルレベル情報が放送受信装置１に予め設定されている出力禁止条件に一致した場合には、表示装置１０７に表示された操作パネル２０に備えられたパレンタルロック機能解除ボタン２３が点滅する。このようにパレンタルロック機能解除ボタン２３が点滅することで、ユーザはパレンタルロック機能が実行されていることを直感的に認識することが可能になる。
【００３３】
一方、視聴制限部３は、パレンタルレベル情報が重畳されていないと判断した場合（ステップＳ４のＮｏ）、またはパレンタルレベル情報が放送受信装置１に予め設定されている出力禁止条件に一致しない場合（ステップＳ５のＮｏ）、パレンタルロックが解除されていることを条件として（ステップＳ８のＹｅｓ）、デコード部４に対してコンテンツを送出することにより（ステップＳ９）、図３に示したように、表示装置１０７に表示されたコンテンツ表示部１０に画像が表示され、かつ音声出力部１１３から音声が出力される状態にするとともに、表示装置１０７に表示された操作パネル２０に備えられたパレンタルロック機能解除ボタン２３の点滅を中止させる（ステップＳ１０）。
【００３４】
一方、視聴制限部３は、パレンタルレベル情報が重畳されていないと判断した場合（ステップＳ４のＮｏ）、またはパレンタルレベル情報が放送受信装置１に予め設定されている出力禁止条件に一致しない場合であっても（ステップＳ５のＮｏ）、パレンタルロックが解除されていない場合には（ステップＳ８のＮｏ）、ステップＳ６に進む。
【００３５】
次に、パレンタルロック機能の解除について説明する。操作受付部２は、操作パネル２０に備えられたパレンタルロック機能解除ボタン２３がポインティングデバイス等の入力装置１０８を介してクリックされたことを認識してパレンタルロック機能解除指示が有ったと判断すると（ステップＳ１１のＹｅｓ）、図６に示すようなパスワード入力画面３０を表示装置１０７に表示して、ユーザによる入力装置１０８を介したパスワード入力に待機する（ステップＳ１２）。パレンタルロックの解除は、パレンタルロック機能解除ボタン２３が点滅しているかしていないかにかかわらず操作可能であり、いずれの場合にもパスワード入力画面３０が表示される。
【００３６】
ユーザにより入力されたパスワードが一致した場合には（ステップＳ１３のＹｅｓ）、視聴制限部３は、パレンタルロック機能を解除し（ステップＳ１４）、デコード部４に対してコンテンツを送出する（ステップＳ９）。これにより、図３に示したように、表示装置１０７に表示されたコンテンツ表示部１０に画像が表示され、かつ音声出力部１１３から音声が出力される。
【００３７】
パレンタルロック機能を実行していない状態で操作パネル２０に備えられたパレンタルロック機能解除ボタン２３をポインティングデバイス等の入力装置１０８を介してクリックし、パスワード入力の後、パレンタルロック機能が解除された場合には、ＩＰＴＶサーバ２００や放送局側から送信される信号中に暴力的もしくは猥褻的なシーンの視聴を制限するパレンタルレベル情報を重畳されているにもかかわらず、コンテンツが必ず再生されることになる。つまり、パレンタルロック機能解除ボタン２３を常時（すなわち、パレンタルロック機能を実行していない状態時にも）操作パネル２０に表示しておくことにより、放送受信部１１１またはＩＰＴＶ接続部１１２で所定の放送局からの放送を受信する前にパレンタルロック機能を予め無効にすることが可能になる。ただし、このように放送を受信する前にパレンタルロック機能を予め無効にする場合、永久に無効にするのではなく、一定期間（例えば、次回電源投入時までの期間）のみ無効にするようにすれば、誤って子供に暴力的もしくは猥褻的な内容を含む放送を見せることを防止することができる。
【００３８】
このように本実施の形態によれば、視聴制限部３により放送コンテンツの視聴が制限されていない場合にはデコードされた放送コンテンツを表示装置１０７に表示するとともに、受信した放送コンテンツに含まれる視聴制限レベル情報が予め設定されている条件に一致したことにより放送コンテンツの視聴が制限された場合には表示装置１０７に表示されている所定の範囲であるパレンタルロック機能解除ボタン２３を第１の状態である通常状態とは異なる第２の状態（例えば、点滅）で表示させることによりその旨を報知するとともに、視聴制限部３は、操作受付部２が第１の状態である通常状態とは異なる第２の状態（例えば、点滅）で表示された所定の範囲であるパレンタルロック機能解除ボタン２３に対するユーザによる入力装置を介した操作を受け付けた場合に、放送コンテンツについての視聴制限を解除することにより、放送コンテンツについての視聴制限の解除操作が必要な状態になっても、その旨を報知するために通常状態とは異なる表示態様に変化させられた表示装置１０７に表示されているパレンタルロック機能解除ボタン２３を操作することで、放送コンテンツについての視聴制限を解除することができるので、直観的に操作方法が理解できるためにユーザを混乱させることがなくなり、放送コンテンツについての視聴制限の解除の際の使い勝手が良くなる。
【００３９】
また、チャンネルＵＰ／ＤＯＷＮボタン２２を連続して押しながらチャンネルを切り替える（ザッピング）のときなどにも、パレンタルロックがかかった状態（すなわち表示装置１０７に表示されたコンテンツ表示部１０に画像は表示されず、かつ音声出力部１１３から音声も出力されない状態）となるだけで、その他の確認画面などは表示されないので、連続したチャンネル切り替えが可能となっている。
【００４０】
なお、本実施の形態によれば、パレンタルロック機能の実行時に、所定の部位としてパレンタルロック機能解除ボタン２３を点滅させるようにしたが、これに限るものではない。例えば、画像が何も表示されていないコンテンツ表示部１０の枠を点滅させるようにしても良く、この場合、パレンタルロック機能の解除するためには点滅している状態のコンテンツ表示部１０をポインティングデバイス等の入力装置１０８を介してクリックするようにすれば良い。
【００４１】
また、パレンタルロック機能の実行を、パレンタルロック機能解除ボタン２３を点滅（通常状態とは異なる表示態様に変化）させることによってユーザに報知するものに限られるものではなく、通常状態とは異なる表示態様に変化させるものとしては、単に点灯するだけであったり、色を変化させるものであったりしても良い。
【図面の簡単な説明】
【００４２】
【図１】本発明の実施の一形態にかかる放送受信装置のハードウェア構成を示すブロック図である。
【図２】放送受信装置の機能構成を示すブロック図である。
【図３】表示画像の一例を示す正面図である。
【図４】放送受信処理の流れを示すフローチャートである。
【図５】パレンタル機能実行時の表示画像を示す正面図である。
【図６】パスワード入力画面を含む表示画像を示す正面図である。
【符号の説明】
【００４３】
１        放送受信装置
２        操作受付手段
３        視聴制限手段
４        デコード手段
５        表示制御手段
１０      コンテンツ表示部
２３      機能解除ボタン
１０７    表示装置
１０８    入力装置
１１１，１１２    放送受信手段
【図１】
2010081392.tif 000003
【図２】
2010081392.tif 000004
【図３】
2010081392.tif 000005
【図４】
2010081392.tif 000006
【図５】
2010081392.tif 000007
【図６】
2010081392.tif 000008
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
入力装置からのユーザ操作を受け付ける操作受付手段と、
視聴制限を指定する視聴制限レベル情報を含む放送コンテンツを受信する放送受信手段と、
受信した前記放送コンテンツに含まれる前記視聴制限レベル情報が予め設定されている条件に一致した場合であって視聴制限が解除されていない場合に、当該放送コンテンツの視聴を制限する視聴制限手段と、
前記視聴制限手段による視聴制限を受けない前記放送コンテンツの映像を再生する映像再生手段と、
前記視聴制限手段により前記放送コンテンツの視聴が制限されていない場合に前記放送コンテンツの映像と共にボタンを表示装置に第１の表示態様で表示し、前記視聴制限手段により前記放送コンテンツの視聴が制限されている場合に前記ボタンを前記第１の表示態様とは異なる第２の表示態様で表示する第１の表示制御手段と、
前記ボタンが第１の表示態様である場合及び前記ボタンが第２の表示態様である場合、前記操作受付手段が前記ボタンに対するユーザ操作を受け付けると、前記放送コンテンツに対する視聴制限を解除するための画面を表示する第２の表示制御手段と、
を備えることを特徴とする放送受信装置。
【請求項２】
前記操作受付手段は、前記ボタンに対するポインティングデバイスからのユーザ操作を受け付ける、
ことを特徴とする請求項１記載の放送受信装置。
【請求項３】
前記第２の表示制御手段は、前記ボタンに対するユーザ操作が行われた場合に、パスワード入力用の画面を表示する、
ことを特徴とする請求項１記載の放送受信装置。
【請求項４】
前記第１の表示制御手段は、前記放送コンテンツについての視聴制限を解除可能である旨を表示した前記ボタンを前記第１の表示態様又は前記第２の表示態様で表示する、
ことを特徴とする請求項１記載の放送受信装置。
【請求項５】
前記第１の表示制御手段は、前記放送コンテンツを表示する範囲と同様の大きさの前記ボタンを表示する、
ことを特徴とする請求項１記載の放送受信装置。
【請求項６】
コンピュータを、
入力装置からのユーザ操作を受け付ける操作受付手段と、
放送コンテンツに含まれる視聴制限を指定する視聴制限レベル情報が予め設定されている条件に一致した場合であって視聴制限が解除されていない場合に、当該放送コンテンツの視聴を制限する視聴制限手段と、
前記視聴制限手段による視聴制限を受けない前記放送コンテンツの映像を再生する映像再生手段と、
前記視聴制限手段により前記放送コンテンツの視聴が制限されていない場合に前記放送コンテンツの映像と共にボタンを表示装置に第１の表示態様で表示し、前記視聴制限手段により前記放送コンテンツの視聴が制限されている場合に前記ボタンを前記第１の表示態様とは異なる第２の表示態様で表示する第１の表示制御手段と、
前記ボタンが第１の表示態様である場合及び前記ボタンが第２の表示態様である場合、前記操作受付手段が前記ボタンに対するユーザ操作を受け付けると、前記放送コンテンツに対する視聴制限を解除するための画面を表示する第２の表示制御手段と、
として機能させることを特徴とするプログラム。
【手続補正２】
【補正対象書類名】明細書
【補正対象項目名】００１０
【補正方法】変更
【補正の内容】
【００１０】
上述した課題を解決し、目的を達成するために、本発明の放送受信装置は、入力装置からのユーザ操作を受け付ける操作受付手段と、視聴制限を指定する視聴制限レベル情報を含む放送コンテンツを受信する放送受信手段と、受信した前記放送コンテンツに含まれる前記視聴制限レベル情報が予め設定されている条件に一致した場合であって視聴制限が解除されていない場合に、当該放送コンテンツの視聴を制限する視聴制限手段と、前記視聴制限手段による視聴制限を受けない前記放送コンテンツの映像を再生する映像再生手段と、前記視聴制限手段により前記放送コンテンツの視聴が制限されていない場合に前記放送コンテンツの映像と共にボタンを表示装置に第１の表示態様で表示し、前記視聴制限手段により前記放送コンテンツの視聴が制限されている場合に前記ボタンを前記第１の表示態様とは異なる第２の表示態様で表示する第１の表示制御手段と、前記ボタンが第１の表示態様である場合及び前記ボタンが第２の表示態様である場合、前記操作受付手段が前記ボタンに対するユーザ操作を受け付けると、前記放送コンテンツに対する視聴制限を解除するための画面を表示する第２の表示制御手段と、を備える。
【手続補正３】
【補正対象書類名】明細書
【補正対象項目名】００１１
【補正方法】変更
【補正の内容】
【００１１】
また、本発明のプログラムは、コンピュータを、入力装置からのユーザ操作を受け付ける操作受付手段と、放送コンテンツに含まれる視聴制限を指定する視聴制限レベル情報が予め設定されている条件に一致した場合であって視聴制限が解除されていない場合に、当該放送コンテンツの視聴を制限する視聴制限手段と、前記視聴制限手段による視聴制限を受けない前記放送コンテンツの映像を再生する映像再生手段と、前記視聴制限手段により前記放送コンテンツの視聴が制限されていない場合に前記放送コンテンツの映像と共にボタンを表示装置に第１の表示態様で表示し、前記視聴制限手段により前記放送コンテンツの視聴が制限されている場合に前記ボタンを前記第１の表示態様とは異なる第２の表示態様で表示する第１の表示制御手段と、前記ボタンが第１の表示態様である場合及び前記ボタンが第２の表示態様である場合、前記操作受付手段が前記ボタンに対するユーザ操作を受け付けると、前記放送コンテンツに対する視聴制限を解除するための画面を表示する第２の表示制御手段と、として機能させる。
【手続補正４】
【補正対象書類名】明細書
【補正対象項目名】００３１
【補正方法】変更
【補正の内容】
【００３１】
視聴制限部３は、パレンタルレベル情報が放送受信装置１に予め設定されている出力禁止条件（例えば、１５歳以下は視聴不可など）に一致した場合（ステップＳ５のＹｅｓ）、パレンタルロックが解除されていない場合には（ステップＳ８のＮｏ）、デコード部４に対するコンテンツの送出を停止することにより（ステップＳ６）、コンテンツ表示部１０に画像を映らせず、かつ音声出力部１１３から音声も出力されない状態にするとともに、表示装置１０７に表示された操作パネル２０に備えられたパレンタルロック機能解除ボタン２３を点滅させる（ステップＳ７）。
【手続補正５】
【補正対象書類名】明細書
【補正対象項目名】００３３
【補正方法】変更
【補正の内容】
【００３３】
一方、視聴制限部３は、パレンタルレベル情報が重畳されていないと判断した場合（ステップＳ４のＮｏ）、またはパレンタルレベル情報が放送受信装置１に予め設定されている出力禁止条件に一致しない場合（ステップＳ５のＮｏ）、デコード部４に対してコンテンツを送出することにより（ステップＳ９）、図３に示したように、表示装置１０７に表示されたコンテンツ表示部１０に画像が表示され、かつ音声出力部１１３から音声が出力される状態にするとともに、表示装置１０７に表示された操作パネル２０に備えられたパレンタルロック機能解除ボタン２３の点滅を中止させる（ステップＳ１０）。
【手続補正６】
【補正対象書類名】明細書
【補正対象項目名】００３４
【補正方法】変更
【補正の内容】
【００３４】
一方、視聴制限部３は、パレンタルレベル情報が放送受信装置１に予め設定されている出力禁止条件に一致する場合であっても（ステップＳ５のＹｅｓ）、パレンタルロックが解除されている場合には（ステップＳ８のＹｅｓ）、ステップＳ９に進む。
【手続補正７】
【補正対象書類名】図面
【補正対象項目名】図４
【補正方法】変更
【補正の内容】
【図４】
2010081392.tif 000009